(57)【要約】【課題】電気ギターや電気ベースギター等の音色を変化させる装置(以下エフェクターという)や、電気ギター、電気ベースギター用アンプ（以下、ギターアンプという）の音量や音質のコントロールを、演奏中でも、コントロールできるようにするため。【解決手段】上記の目的を達成するために、演奏者の身体や保持する楽器（以下ギターという）の動きに合わせて音色やその変化をコントロールする装置を開発した。【選択図】図１
2013228434.tif 000002
【特許請求の範囲】
【請求項１】
モーションセンサーをもちいて、演奏者の身体の動き、または演奏者の保持する楽器の動きを感知し、感知した動きのデータをコントロール部に送り、機械的機構により、または電子回路により、電気ギター用のアンプ、エフェクターのボリューム、およびエフェクターのスイッチのうちいずれか一つを同期的に操作し、音量や音色、音程等を変化させることを特徴とする。
【発明の詳細な説明】
【技術分野】
【０００１】
本発明は、主に電気ギターや電気ベース等の音色を変化させる装置(以下エフェクターという)や、電気ギター、電気ベースギター用アンプ（以下、ギターアンプという）を、演奏者の身体や保持する楽器（以下ギターという）の動きに合わせて音色やその変化をコントロールする事が出来る装置に関するものである。
【背景技術】
【０００２】
従来のエフェクターやギターアンプは、その音質、音程の調節するためには、演奏の合間にスイッチやボリュームつまみなどを用いるか、演奏中であれば、他者に依頼するか足でコントロールするペダルを用いる方法しかなかった。
【先行技術文献】
【特許文献】
【０００３】
【特許文献１】特開平８−３１４４５３号公報
【発明の概要】
【発明が解決しようとする課題】
【０００４】
従来のエフェクターやギターアンプでは、その音量や音質、音程を演奏者が調節するためには、演奏の合間にスイッチやボリュームつまみなどを用いるか、あるいは演奏中であれば、他者に依頼したり、足でコントロールするペダルを用いる方法しかなかった。
【０００５】
音量や音質、音程の調節を他者に依頼したときは、調節のタイミングが微妙にずれることがあり、必ずしも確実な調節を保証できなかった。
【０００６】
音量や音質、音程の調節を足でコントロールするペダルでは、自動車のアクセルペダルのような動きか、スイッチのオンオフ程度の操作しかできず、木目細やかな音量や音質、音程の調節は、演奏中の演奏者には不可能であった。これは、演奏者の表現に制限を与えるものである。
【０００７】
また、演奏者は舞台上で、調節を依頼した他者の近くか、エフェクターやアンプのペダルのある位置から動くことができなかった。これは、演奏者の舞台上での動きに制約を与えるものであった。
【０００８】
本発明は上記に記載した問題を解決するためになされたものである。
【課題を解決するための手段】
【０００９】
本発明の装置は、モーションセンサーにて演奏者の身体の動き、または演奏者の保持するギターの動きを感知し、感知した動きのデータをコントロール部に送り、サーボモーターを作動させた機械的機構により、または電子回路により、電気ギター用のアンプ、エフェクターのボリューム、およびエフェクターのスイッチのうちいずれか一つを同期的に操作し、音量や音色、音程等を変化させることを特徴とする。
【発明の効果】
【００１０】
この装置の使用によって、従来演奏中に演奏者自身が行うのが難しかった木目細やかな音量や音質、音程の調整を手軽に行うことができるようになり、これまでになかった音楽表現を行うことができる。また、演奏者はペダルやスイッチのある位置から自由に動くことができ、舞台上で観客の反応に応じて自由に動き回ることができる。
【００１１】
連携させるエフェクターによっては、音量のほかに、トーンや音程、エコーの深さ、ディレイタイムなどの音質効果を調節することができる。
【図面の簡単な説明】
【００１２】
【図１】図１は本発明の実施の形態の概要図である
【図２】図２は本発明の実施の形態のコントロール部を内臓する本体を右斜め前方より示した外観図である。
【図３】図３は本発明の実施の形態のコントロール部を内臓する本体を左斜め後方より示した外観図である。
【図４】図４は本発明の実施の形態のセンサー部分を示した外観図である。
【発明を実施するための形態】
【００１３】
本発明の装置は、演奏者の身体の動き、または演奏者の保持するギターの動きを感知するモーションセンサーと、センサーからの信号を受けて音色を変化させるコントロール部から構成される。
【００１４】
モーションセンサーは演奏者の保持するギターの糸巻き付近、あるいは本体か、演奏者の身体の一部にとりつける。取り付け位置は演奏者の好みや希望によってはこの限りではない。
【００１５】
モーションセンサーには重力を感知する加速度センサーを搭載し、演奏者の体の動きや、演奏者の保持するギターの動きを検出、マイクロコンピューターで処理し、そのデータをコントロール部に有線、あるいは無線で送達する。
【００１６】
たとえば、モーションセンサーをギターの糸巻き付近に取り付けたとき、演奏中に糸巻き付近を上げるとボリュームが増大、あるいは下げるとボリュームを減少させることができる。演奏者の好みによっては、センサーの取り付け位置や方向を変えることにより、この逆の動き、あるいは前後方向の移動でも同じ効果を得ることができる。
【００１７】
また、モーションセンサーは、加速度センサーの中立位置を調節することができる。これにより、演奏者の好みに応じて反応域を調節することができる。
【００１８】
コントロール部はセンサー部から届いたデータに応じて、エフェクターやアンプのボリュームやスイッチなどに歯車やレバーを介して機械的な連携しているサーボモーターを作動させる、あるいは、電子的な連携により、演奏者の身体の動きや、演奏者の保持する楽器の動きとボリュームやスイッチを同期的に操作する。
【００１９】
本体は、アルミダイキャスト製箱型筐体の上部に、エフェクターのオンオフスイッチを搭載する。外周には、電源、入力、出力、センサー接続のためのジャックを搭載する。筐体の内部には、音質を変化させるための回路と、その回路と機械的に連携しているサーボモーターを搭載したコントロール部を内蔵する。  
【００２０】
センサーは、プラスティック製筐体のなかに、重力を感知する加速度センサー、加速度センサーが感知した動きを処理するマイクロコンピューター、加速度センサーの反応域を調節するつまみを搭載する。本体へのデータ伝達は、有線、あるいは無線装置を搭載することによって行う。
【００２１】
無線装置を持ってセンサーのデータを送達するときは、本体とは別のアルミダイキャスト製筐体を用意し、無線受信装置を内蔵する。筐体表面にはモーションセンサーから送られてくるデータを分配するスイッチを搭載する。筐体周囲にはエフェクターとコントロール部の搭載された装置に接続するためのアウトプットジャックを配置する。    
【産業上の利用可能性】
【００２２】
演奏者は、従来のエフェクターやアンプよりも、さらにきめの細かい音質の調整が可能となり、従来演奏中には演奏者自身が行うのが難しかった音量や音質、音程の調節が手軽にできるようになる。
【００２３】
演奏者はエフェクターやアンプの近くにいることなく、舞台上の好きなところで、音量や音質、音程を変化させながらの演奏が可能となり、また、演奏者の身体、あるいは保持する楽器の動きが音量や音質、音程の変化に反映されるため、観客の注目を集めることができる。
【００２４】
ペダルやスイッチ、ボリュームつまみなどよりも、さらに直接的で感情的な音量や音質、音程の調節が可能となり、あらたな音楽表現を生み出すことができる。
【符号の説明】
【００２５】
１  加速度センサー搭載、モーションセンサー
２  サーボモーター
３  エフェクター本体
４  ギター本体
５  ギターアンプ、変化する音色を出力する。
６  演奏者
２１  エフェクトスイッチ
２２  エフェクター用電源ジャック
２３  インプットプラグ
２４  手動トーンコントロールスイッチ  
３１  モーションセンサープラグ
３２  アウトプットプラグ
３３  サーボモーター用電源ジャック
４１  本体
４２  センサー中立位置調整つまみ
４３  リード線
【図１】
2013228434.tif 000003
【図２】
2013228434.tif 000004
【図３】
2013228434.tif 000005
【図４】
2013228434.tif 000006